(57)【要約】【課題】本発明はＧＰＳ内蔵のＩＰ電話機から公衆電話網の緊急通報先への接続制御方式に関し，ＩＰ電話機の位置の最寄りの公衆電話網の緊急通報先を呼出すと共に回線保留機能を実現することを目的とする。【解決手段】ＩＰ電話機は緊急通報先の特番への呼を発生するとＧＰＳ機能により取得した位置情報を付加した発呼パケットを送信する手段を備え，ＩＰ網の呼設定サーバは，位置情報に対応する市外・市内局番を登録した手段を備え，発呼パケットを受信すると位置情報から市外・市内局番を識別し，その番号を特番に付加したパケットをゲートウェイ交換機に送信し，ゲートウェイ交換機は受け取った発呼パケットから該当する交換機の緊急通報先の番号に変換する手段を備え，変換した番号により公衆電話網に収容された緊急通報センタの指令台を呼出し，指令台からの応答を検出することにより，通話パスが形成されるよう構成する。【選択図】図１
2008167360.tif 000002
【特許請求の範囲】
【請求項１】
ＧＰＳ内蔵のＩＰ電話機から公衆電話網の緊急通報先への接続制御方式において，
前記ＩＰ電話機は緊急通報先の特番を呼出す呼を発生するとＧＰＳ機能により取得した位置情報を付加した発呼パケットを生成して送信する手段を備え，
ＩＰ網の呼設定サーバは，位置情報に対応する市外・市内局番を登録したテーブルを備え，前記発呼パケットを受信すると該当パケット内の位置情報から対応する市外・市内局番を識別し，識別した市外・市内局番を特番に付加した発呼パケットをＩＰ網と公衆電話網の境界に設けたゲートウェイ交換機に送信し，
前記ゲートウェイ交換機は受け取った発呼パケットから該当する交換機の緊急通報先の番号に変換する手段を備え，変換した番号により公衆電話網に収容された緊急通報センタの指令台を呼出し，指令台からの応答を検出することにより，通話パスが形成されることを特徴とするＧＰＳ内蔵のＩＰ電話機から公衆電話網の緊急通報先への接続制御方式。
【請求項２】
請求項１において，
前記呼設定サーバは，予め位置情報に対応するエリアコードを登録したテーブルを備え，前記発呼パケットを受信すると該当パケット内の位置情報により対応するエリアコードを識別すると，識別したエリアコードを特番に付加した発呼パケットをＩＰ網と公衆電話網の境界に設けられたゲートウェイ交換機に送信することを特徴とするＧＰＳ内蔵のＩＰ電話機から公衆電話網の緊急通報先への接続制御方式。
【請求項３】
請求項１において，
前記呼設定サーバは，前記特番により前記ＩＰ網の発呼側のＩＰ電話機から公衆電話網の緊急電話センタの指令台までの通話パスが形成されると，ＩＰ電話機に対し該当通話パスを保留させる手段を備え，前記通話パスによる通話が終了して前記発呼側のＩＰ電話機がオンフックしても前記通話パスを保留させることを特徴とするＧＰＳ内蔵のＩＰ電話機から公衆電話網の緊急通報先への接続制御方式。
【請求項４】
請求項３において，
前記ＩＰ電話機は，前記通話パスによる通話が終了して保留された通話パスに対して無通話パターンまたはアイドルパターンを流した状態で通話パスを保持することを特徴とするＧＰＳ内蔵のＩＰ電話機から公衆電話網の緊急通報先への接続制御方式。
【発明の詳細な説明】
【技術分野】
【０００１】
本発明はＧＰＳ内蔵のＩＰ電話機から公衆電話網の緊急通報先への接続制御方式に関する。
【０００２】
ＩＰ電話網に収容されたＩＰ電話機からの緊急電話（警察用の１１０番，消防署用の１１９番，海上保安用の１１８番等）の発信に対し，発信元から最寄りの緊急電話センタに接続する必要があるが，緊急電話センタは固定電話網（ＰＳＴＮ：Public Switched Telepone Network) に接続されており，ＩＰ電話は発信した地域とは無関係の位置に設けられた呼制御サーバにより制御されるため，ＩＰ電話が存在する地域の緊急電話センタに接続される保障は全くない。
【背景技術】
【０００３】
ＩＰ電話は通話料が安価なことから企業・家庭を問わず急速に普及しつつある。従来のＩＰ電話システムはＩＰ電話より発信を行うとＩＰ電話の一般的なプロトコルとして多く採用されているＳＩＰ（Session Initiation Protocol)により呼制御サーバに対し呼要求信号をＩＰパケットの形で送信する。呼制御サーバは呼要求信号内に含まれる相手先の電話番号に対応するゲートウェイ（ＧＷ）のＩＰアドレスを検索し，対象のＧＷに対してＩＰパケットを送信する。ＩＰパケットを受信したＧＷはＩＰパケット内に含まれる相手先の電話番号によって配下の交換機により呼を接続する。
【０００４】
このようなＩＰ電話により，警察，消防等への緊急通報を行う場合，ＩＰ電話により緊急通報先を呼出すために電話番号（特番）を含むＩＰパケットを送信しても，緊急電話を受け取るゲートウェイはインターネットのＩＰ電話システムでは複数存在し，トラフィック等により負荷が一番少ないゲートウェイに呼要求信号を含むＩＰパケットが送信される。ＩＰパケットを送信されたゲートウェイは配下にある緊急電話センタに対して呼を接続する。ゲートウェイが広い地域をカバーする場合には，配下に緊急電話センタが複数存在する場合があり，発呼したＩＰ電話の位置の最寄りの緊急電話センタに呼が接続されるとは限らない。このため，発信元のＩＰ電話からの最寄りの緊急電話センタに呼が接続されるわけではないため緊急電話への対応の迅速性に欠ける。
【０００５】
このようなＩＰ電話網における問題を解決する技術が提案されている（特許文献１参照）。その特許文献の技術を図５に従来例の構成として示す。図中，６０ａ，６０ｂはＧＰＳによる位置測定機能を備えたＩＰ電話端末，６１は位置測定部，６２は制御部，６６はＩＰネットワーク，６４は呼制御サーバ，６５はデータベース，６６ａ〜６６ｂは緊急通報施設である。
【０００６】
この構成では，ＩＰ電話端末６０ａから緊急通報先の特番を入力すると，緊急呼を要求する信号とＧＰＳの位置測定機能により得た電話端末の位置情報とを含むＩＰパケットを送信すると，ＩＰネットワーク６６の呼制御サーバ６４で受け取られると，緊急呼の要求信号に含まれた位置情報に対応する緊急通報施設６６ａ〜６６ｂの一つを選定し，選定した緊急通報施設５６ａと呼を確立し，緊急通報施設５６ａは緊急呼に応答したことを示す信号を呼制御サーバ６４に送り，呼制御サーバ６４からＩＰ電話端末６０ａにこの信号を送ると，ＩＰ電話端末６０ａは緊急通報施設６６ａとＩＰネットワーク６６を介して接続する。
【特許文献１】特開２０００−１９８７５７号公報
【発明の開示】
【発明が解決しようとする課題】
【０００７】
従来は，上記したようにＩＰ電話の位置に対応した緊急電話センタに通報することは，ＩＰ電話の位置を通知する機能が無かったため困難であった。これに対し，上記図５に示す技術は，ＩＰ電話端末に位置測定機能を備え，ＩＰネットワークの呼制御サーバにアクセスして，ＩＰネットワークに接続された緊急通報施設とＩＰ電話端末とを接続する技術である。しかし，各地域に設けられた警察，消防等の緊急電話センタの殆どは公衆固定電話網（ＰＳＴＮ）に接続されており，ＩＰ電話網に接続された緊急電話センタの数は限られているため，ＩＰ電話からＩＰネットワークの緊急電話センタに連絡できる可能性は少なく，連絡できない場合が多いという問題がある。もしくは，連絡はできたとしてもＩＰ電話機から最寄りの緊急通報先でない可能性が高い。
【０００８】
本発明はＩＰ電話機から緊急通報先へ発信した時にＩＰ電話機の位置の最寄りの通報先を呼び出すと共に回線保留機能を実現するＧＰＳ内蔵のＩＰ電話機から公衆電話網の緊急通報先への接続制御方式を提供することを目的とする。
【課題を解決するための手段】
【０００９】
図１は本発明の原理構成を示す図である。図中，１はＧＰＳ内蔵ＩＰ電話機，１０は警察，消防等の緊急電話センタへ発呼した時に位置情報と緊急電話番号（特番）を含む発呼パケットを生成する緊急呼用パケット生成部，２はＩＰ網，２０はＩＰ網を構成するルータ，３はＩＰ網２内のルータ２０に接続され，複数のＩＰ電話機に対する呼制御を行う呼制御サーバ，３０は発呼パケットの位置情報を地域コードまたは市外局番（市内局番がある場合はその番号を含む）に変換する変換部，３１は位置情報に対応する市外局番号（市内局番を含む）または地域コードを対応付ける変換テーブル，３２は特番保留部，４はＩＰ網からの音声を含むパケットを公衆電話網（ＰＳＴＮ）の信号形態（多重デジタル信号伝送方式）に変換するメディアゲート，５は固定電話機のための公衆電話網（ＰＳＴＮ），５０はゲートウェイ交換機，５００は呼制御部，５１−１〜５１−ｍは各地域の交換機，５２は緊急電話センタの電話装置である。
【００１０】
本発明は，ＩＰ電話機１から警察，消防等の緊急電話センタの特番（１１０番等）を指定して発呼すると，ＩＰ電話機１に内蔵するＧＰＳ機能により検出した位置情報と特番及びＩＰ電話機１の情報を含む発呼パケットを緊急呼用パケット生成部１０で生成する。発呼パケットはルータ２０を介して呼制御サーバ３に送られ，呼制御サーバ３は特番と位置情報を受け取ると，変換部３０で変換テーブル３１を参照して位置情報から市外局番号（地域コード）に変換し，その変換した番号と特番及びＩＰ電話機１の情報を含む発呼パケットを呼制御信号のルートで公衆電話網５のゲートウェイ交換機５０に送信する。ゲートウェイ交換機５０では，その発呼パケットを受け取ると市外電話番号（または地域コード）に対応する地域の電話番号に変換して，公衆電話網５内の対応する地域の交換機５１への呼接続を行ない，対応する交換機５１から対応する特番の電話センタの電話機５２が呼出される。この呼び出し動作中に，ゲートウェイ交換機５０から呼制御サーバ３に呼び出し中を表す通知が送られ，呼制御サーバ３はＩＰ電話機１に対して呼び出し信号を発生させる制御信号を送る。
【００１１】
そして，特番の電話センタの電話機５２からの応答があると，ゲートウェイ交換機５０，呼制御サーバ３を介してＩＰ電話機１に通知され，これに対してＩＰ電話機１から呼制御サーバ３に応答を返す。この時，ＩＰ電話機１からルータ，メディアゲート４，ゲートウェイ交換機５０及び交換機５１を介した主信号（音声信号）のルートの通話パスにより電話センタの電話機５２と通話が可能となる。すなわち，音声はＩＰ電話機１から複数のルータ２０を介してメディアゲート４へ入力する。ここで，音声パケット内の音声信号は公衆電話網（ＰＳＴＮ）５の多重デジタル信号形式に変換されて，ゲートウェイ交換機５０へ送られ，そこから交換機５１の緊急電話センタの電話機５２に達して，出力される。緊急電話センタの電話機５２からの音声はデジタル化され，交換機５１及びゲートウェイ交換機５０を通って，メディアゲート４においてデジタル信号からパケットに変換され，ルータ２０を通ってＩＰ電話機１へ送られる。
【００１２】
この後，ＩＰ電話機１と緊急電話センタの電話機５２の担当者の間で通話が行われ，発呼側のＩＰ電話機１で終話（オンフック）すると切断要求の信号が呼制御サーバ３に送られる。これを受け取った呼制御サーバ３では，当該緊急呼について特番保留部３２が駆動されＩＰ電話機１に対しパス解放保留指示が出され，通話パスを切断しない様保持させる。この状態で緊急電話センタの担当者がＩＰ電話機１の利用者から詳細な情報等を聞く必要がある等の事情により電話機５２側から再呼び出し信号を送信すると，交換機５１，ゲートウェイ交換機５０，呼制御サーバ３を介してＩＰ電話機１へ再呼び出し指示が送られて，保留された通話パスによる再通話をし，例えば，最初の通話では聞き漏らした事項を通話することができる。
【発明の効果】
【００１３】
本発明によればＩＰ電話機から発信された緊急電話に対し位置情報を付加し，呼制御サーバで位置情報より市外／市内局番，エリアコードを求めることから最寄りの緊急電話センタに呼の接続が可能となる。これにより，ＩＰ電話機から緊急電話センタへの接続が迅速に行われ，事故等の発生に対して警察，消防等の機関による対応が速やかに行うことができる。
【発明を実施するための最良の形態】
【００１４】
図２は実施例の構成例を示す。図中，１，２，３，４，５，５０〜５２の各符号は上記図１の同じ番号の各部に対応し，１はＧＰＳ内蔵ＩＰ電話機，２はＩＰ網，２０−１〜２０−３はルータ，３は呼制御サーバ，４はメディアゲート，５はＰＳＴＮ網（公衆電話網），５０はゲートウェイ交換機，５０ａは従来から使用されている呼制御信号を伝送する公知のNo. ７共通線信号網（No. ７網と表示），５１は各市外局番（市内局番）に設けた交換機，５２は各市外局番（市内局番）に設けられた交換機に収容された警察・消防等の緊急電話センタの指令台（または電話機）を表す。なお，図２の指令台５２はエリアコードＡ，Ｂ〜Ｅ，Ｆというエリアコードに対応して設けられ，エリアコードを用いた呼処理が行われる例を示すが，市外または市内の局番に対応して１１０番や１１９番に接続するよう呼処理される場合もある。
【００１５】
図３は実施例の呼処理シーケンスである。図３は図２に示す実施例の構成例に示すＩＰ網２内のＧＰＳ機能付のＩＰ電話機１，呼制御サーバ３と，ＰＳＴＮ網５内のゲートウェイ交換機５０，交換機５１及び警察・消防の指令台５２の相互の処理シーケンスが示されている。なお，符号５２は電話機である場合も含むが，以下の説明では，緊急電話センタのオペレータが操作する電話機能を含む指令台である場合について説明する。
【００１６】
ＩＰ電話機１の利用者が緊急電話の呼び出しをする必要があり，この説明の例では警察を呼び出すための特番である「１１０」をダイヤルしたものとすると，ＩＰ電話機１に内蔵したＧＰＳ機能により位置情報（座標または経度，緯度を表すＸ，Ｙ）を取得して，ＳＩＰのセッション参加リクエストである「INVITE」に位置情報「Ｘ，Ｙ」を付加した発呼要求を呼制御サーバ３に送出する（図３のａ）。この発呼要求はルータ２０−１，２０−２，２０−３を介して呼制御サーバ３に送られ，呼制御サーバ３からＩＰ電話機１に対して応答（100 Trying）する（図３のｂ）。呼制御サーバ３は，位置情報から市外局番／市内局番（またはエリアコード）に変換し，番号翻訳をし（図３のｃ），翻訳により得られた市外局番＋市内局番をセッション参加リクエストである「INVITE」に埋め込んだ発呼要求をルータ２０−３から呼処理ルート（図２の４０）を介してゲートウェイ交換機５０に向けて送信すると（同ｄ），ゲートウェイ交換機５０から応答が戻ってくる（同ｅ）。
【００１７】
ゲートウェイ交換機５０はこの発呼要求を受け取ると，特番１１０＋市外・市内番号（またはエリアコード）からＰＳＴＮ網５内の最寄りの緊急電話センタの番号情報をデータベースから検索して，緊急電話センタの電番（１１０番や１１９番から最寄りの警察や消防署の実際の電話番号である裏番号）に番号翻訳後その番号への呼接続を行い（同ｆ），ＰＳＴＮ網５を介して交換機５１に対して呼設定要求（ＩＡＭ）を送信すると（同ｇ），交換機５１からゲートウェイ交換機５０に対し応答（ＡＣＭ）を返して（同ｈ），指令台５２に対して呼出し信号を送る（同ｉ）。この時，ゲートウェイ交換機５０は呼制御サーバ３へ呼出中であることを表す信号を送り，呼制御サーバ３からＩＰ電話機１にも同じ信号が送信される（図３のｊ）。なお，図２の指令台５２に接続する例は，市内局番／市内局番を用いた呼処理が行われて，対応する指令台が呼出される場合を示す。
【００１８】
指令台５２の呼出しに対して指令台５２側の被呼者が応答すると応答信号が交換機５１に送られ（図３のｋ），これを交換機５１で受信すると，ゲートウェイ交換機５０に被呼者応答の通知（ＡＮＭ）が送られ（同ｌ），ゲートウェイ交換機５０から呼制御サーバ３，呼制御サーバ３からＩＰ電話機１に順次通知される（同ｍ）。これを受け取ったＩＰ電話機１から確認（ＡＣＫ）の信号が呼制御サーバ３及びゲートウェイ交換機５０に向けて順次送信されて（同ｎ），通話状態に移行する（同ｏ）。但し，ＩＰ網２における通話はＲＴＰ（Real Time Transport Protocol）のプロトコルにより実行され，音声はルータ（図２の２０−２），メディアゲート（図２の４），ゲートウェイ交換機５０を介して送受信される。
【００１９】
この通話の後，ＩＰ電話機１の発呼者が先掛け（オンフック）すると，切断を要求する信号（Bye)が呼制御サーバ３へ送られる（図３のｐ）。呼制御サーバ３は，切断要求をしたＩＰ電話機１が緊急電話センタを呼出す緊急呼（特番呼）であることを識別しているため切断を行うことなく，保留指示をＩＰ電話機１に対して送信する（図３のｑ）と共に，通話パスを保持させる（同ｒ）。この場合，当該ＩＰ電話機１と指令台５２との間に形成された通話パスに対し，ＩＰ電話機１にパス保留指示することによりパス解放させず保持することができる。
【００２０】
この後，指令台５２の担当者がＩＰ電話機１の利用者に事情を聞きたいことがあると再呼出しの操作（特定キーの操作）を行うと，再呼出信号が交換機５１へ送信され，更にゲートウェイ交換機５０へ送信され（図３のｓ），ゲートウェイ交換機５０から呼処理ルート４０を介して呼制御サーバ３へ再呼び指示信号が送られ，更に呼制御サーバ３からＩＰ電話機１へ送信される（同ｔ）。ＩＰ電話機１でこの再呼び指示信号を受け取ると呼出し音等により利用者に知らせ，利用者がオフフックすると通話中の状態になる（同ｕ）。通話が終了して，指令台５２の担当者が先掛け（着呼者先掛け）をすると，切断を表す信号が交換機５１へ送られ（図３のｕ），これを検出した交換機５１はゲートウェイ交換機５０に対し解放を指示する信号（REL)を送信する（同ｖ）。これを受け取ったゲートウェイ交換機５０は切断要求信号（Bye)を呼制御サーバ３へ送信し，更に呼制御サーバ３からＩＰ電話機１へ送られる（同ｗ）。これを受け取ったＩＰ電話機１から応答の信号(200 OK)が送信され，これを受け取った呼制御サーバ３からゲートウェイ交換機５０に同じ信号が送信され，これをゲートウェイ交換機５０で受信することにより，当該緊急呼に関する制御が終了する。
【００２１】
上記のＩＰ電話機１の発呼者が通話を終了して先掛けしたとき，切断要求信号（Bye)が呼制御サーバ３へ送られ（図３のｐ），これに対し呼制御サーバ３がＩＰ電話機１にパス保留指示することにより呼制御サーバが確立している通話パスを切断せず保持させる。通話パスを保持中の際にはＩＰ電話機１から指令台５２に無通話パターンまたアイドルパターンを送信し続ける。
【００２２】
図４は呼制御サーバにおける位置情報を用いた番号検索方法の具体例であり，上記の呼制御サーバ３における図３の処理ｃにおいて実行される。図４のＡ．はフローチャート，Ｂ．はＡ．に示す番号検索の図式的表示を示したものである。
【００２３】
ＩＰ電話機１から送られてきた位置情報（Ｘ，Ｙ）を元に呼制御サーバが存在するエリア（市町村）に該当座標があるかどうかを検索し（図４のＳ１），無かった場合は隣接するエリアから順に該当座標があるかどうかを検索し（同Ｓ２），更に隣接するエリアに該当座標があるかどうかを検索し（同Ｓ３），このステップＳ３の処理を繰り返すことにより該当座標があるエリアを検出する。エリアが検出されると，該当するエリアの市外・市内局番を新たな情報として付加してゲートウェイ交換機へ送付する（同Ｓ４）。
【００２４】
位置情報を用いた番号検索の方法はこの方法に限定されるものではなく，位置情報と市外局番・市内局番を対応付けたデータベースを設けて，位置情報をキーワードとしてデータベースを検索することにより取得するようにしても良い。
【図面の簡単な説明】
【００２５】
【図１】本発明の原理構成を示す図である。
【図２】実施例の構成を示す図である。
【図３】実施例の呼処理シーケンスを示す図である。
【図４】呼制御サーバにおける位置情報を用いた番号検索方法の具体例を示す図である。
【図５】従来例の構成を示す図である。
【符号の説明】
【００２６】
１        ＧＰＳ内蔵ＩＰ電話機
１０      緊急呼用パケット生成部
２        ＩＰ網
２０      ルータ
３        呼制御サーバ
３０      変換部
３１      変換テーブル
３２      特番保留部
４        メディアゲート
５        公衆電話網（ＰＳＴＮ）
５０      ゲートウェイ交換機
５００    呼制御部
５１−１〜５１−ｍ    交換機
５２      緊急電話センタの電話装置
【図１】
2008167360.tif 000003
【図２】
2008167360.tif 000004
【図３】
2008167360.tif 000005
【図４】
2008167360.tif 000006
【図５】
2008167360.tif 000007